(57)【要約】【課題】男性の脱腸（特に外腹ヘルニア）を効果的に抑止出来ながら、内蔵機能の増強、体型矯正（腰、姿勢等）をも行い得るところの脱腸抑止兼健康増進男性コルセットを提供すること。【解決手段】ブリーフ型の脱腸抑止兼健康増進男性コルセットで、本体１を、伸縮性の生地を用いて、前部で、左右方向において一部非逢着状態で重複させ、非伸縮性の生地を用いて略逆三角形状の脱腸抑止部材４を構成し、その上辺部４Ａを、前記本他１の前部において、前記左右部材２，３の上辺部２Ａ，３Ａと一体的に逢着してあり、且つ、前記脱腸抑止部材４の下辺部４Ｂと前記本体１の下部１Ａとを着脱自在に止め付ける係止手段５を設けてある、【選択図】      図３
2006136692.tif 000002
【特許請求の範囲】
【請求項１】
実質的にブリーフ型に構成された脱腸抑止兼健康増進男性コルセットであって、
本体１を、伸縮性の生地を用いて、左右部材２，３を後部で上下の方向で逢着すると共に前部で、左右方向において一部非逢着状態で重複させて、その上辺部２Ａ、３Ａと下辺部２Ｂ、３Ｂにおいて互いに逢着してあり、
非伸縮性の生地を用いて略逆三角形状の脱腸抑止部材４を構成し、その上辺部４Ａを、前記本他１の前部において、前記左右部材２，３の上辺部２Ａ，３Ａと一体的に逢着してあり、且つ、
前記脱腸抑止部材４の下辺部４Ｂと前記本体１の下部１Ａとを着脱自在に止め付ける係止手段５を設けてある、
脱腸抑止兼健康増進男性コルセット。
【請求項２】
前記脱腸抑止部材４の内側に袋状の収容部７が設けられ、該収容部７に、外腹斜筋に対する抑え部材６を収容してある、
請求項１の脱腸抑止用男性コルセット。
【請求項３】
前記脱腸抑止部材４の内側に、外腹斜筋に対する抑え部材６を、を介して止め付けるように構成してある、
請求項１の脱腸抑止兼健康増進男性コルセット。
【請求項４】
前記脱腸抑止部材４の略逆三角形の４ａ，４ｂが、腰部を締め付けるように前記本体１の後側に回り込んだ状態で、前記左右部材２，３の上辺部２Ａ，３Ａに一体的に逢着されている、
請求項１乃至請求項３の何れかに記載の脱腸抑止兼健康増進男性コルセット。
【発明の詳細な説明】
【技術分野】
【０００１】  本発明は、鼠径ヘルニア（脱腸）、特に外腹ヘルニアに効果的な脱腸抑止兼健康増進男性コルセットに関するものである。
【背景技術】
【０００２】  脱腸、即ち、鼠径ヘルニアは、腹部内蔵が腹壁腹膜に包まれたまま脱出する疾患を言うが、臨床上からは、帰納性ヘルニア、不帰納性ヘルニア、嵌頓ヘルニアに分類され、位置、部位からは、大別すると、内腹ヘルニアと外腹ヘルニアに分類される。【０００３】  種々のヘルニアは、男性、女性、小児を問わず発生し、それぞれの原因が存するものであるが、本発明は、外腹ヘルニア、特に、鼠径ヘルニア、股ヘルニア等、腹直筋、外腹斜筋の筋力衰退に起因するヘルニアを抑止しようとするものである。
即ち、こうした腹直筋、外腹斜筋は、老齢に達すると極度に衰退してくるもので、その他、先天的に上記筋力が弱い者にも、種々のきっかけで頻繁に発生している。【０００４】  こうした脱腸の抑止を目的として、従来においては、脱腸帯が一般に用いられていた。
【特許文献１】実開平７−１９０９号。これは、脱腸帯として、脱腸部位をベルトで押さえる。
【特許文献２】実用新案登録第３０３３１６７号。これは、薄板と巾廣ベルト、硬質ゴム、スポンジを用いている。
【特許文献３】実用新案登録第３０６６４４３号。これは、腰部、腹部に円筒状の腹巻を着用して、セラミックスを用い、同時に保温効果も発揮させる。
【発明の開示】
【発明が解決しようとする課題】
【０００５】  本発明者は、腹直筋、外腹斜筋の筋力が老齢者では極度に衰退してくる結果、外腹ヘルニア、特に、鼠径ヘルニア、股ヘルニア等が、これが原因で多発していることに着目し、コルセットを使用する女性に比べ、特に、男性については、ブリーフ等の下着が、腹部に対して何等の圧迫作用を与えるものではなく、脱腸を引き起こし易いことが解ってきた。【０００６】  そこで、腹部に圧迫（特に腸を上方に持ち上げる方向）を付与できる男性用のコルセットの開発を試みるが、男性は、女性用の如きコルセットでは、小用を足す際に脱がねばならず不都合であり、充分な圧迫を付与できながら、脱ぐことなく排尿器を外部に出すことができるようにしなければ、実用上有益なものとは言えない。【０００７】  本発明は、特に、男性の脱腸（特に外腹ヘルニア）を効果的に抑止出来ながら、内蔵機能の増強、体型矯正（腰、姿勢等）をも行い得るところの脱腸抑止兼健康増進男性コルセットを提供することを目的とする。
【課題を解決するための手段】
【０００８】  本発明にかかる脱腸抑止兼健康増進男性コルセットは、上記目的を達成するために、実質的にブリーフ型に構成された脱腸抑止兼健康増進男性コルセットであって、
本体１を、伸縮性の生地を用いて、左右部材２，３を後部で上下の方向で逢着すると共に前部で、左右方向において一部非逢着状態で重複させて、その上辺部２Ａ、３Ａと下辺部２Ｂ、３Ｂにおいて互いに逢着してあり、
非伸縮性の生地を用いて略逆三角形状の脱腸抑止部材４を構成し、その上辺部４Ａを、前記本他１の前部において、前記左右部材２，３の上辺部２Ａ，３Ａと一体的に逢着してあり、且つ、
前記脱腸抑止部材４の下辺部４Ｂと前記本体１の下部１Ａとを着脱自在に止め付ける係止手段５を設けてある、
という手段を講じたものである。
【発明の効果】
【０００９】  本発明によれば、ブリーフ型のコルセットととして、本体前部において部分的に三層構造となるようにし、非伸縮性の生地を用いた腸抑止部材を着脱自在に設けたことで、腹部を圧迫して腸を正規の位置に押し上げ、特に、老齢に起因する腹直筋、外腹斜筋の弛緩を補って、脱腸（特に外腹ヘルニア）を効果的に抑止出来ると共に内蔵機能の増強、体型矯正（腰、姿勢等）をも行い得て、同時に、これを脱ぐことなく小用を足すことが出来るので、老齢男性に対する脱腸抑止効果を利便性よく発揮出来る利点がある。
【発明を実施するための最良の形態】
【００１０】  本発明は、前記脱腸抑止部材４の内側に袋状の収容部７が設けられ、該収容部７に、下腹部の外腹斜筋に対する抑え部材６を収容してあるのが好ましい。
これによって、下腹部の外腹斜筋を更に局所的に加圧させることができるので、より確実な脱腸の抑止作用が期待出来、不要と思われる場合には、収容部７から簡便に取り出して好適な圧迫状態を得ることが出来る。また、大きさの異なる脱腸抑止部材４を準備しておけば、それを選択して取り替えることでるので、各人に合った圧迫状態が得られるので有益である。【００１１】  また、前記脱腸抑止部材４の内側に、外腹斜筋に対する抑え部材６を、係脱手段を介して止め付けるように構成してあるのが好ましい。
この係脱手段としては、マジックテープの如き構成のものが好ましい。これによって、上述の如き効果が得られると共に収容部７を形成することなく、簡便に着脱が可能であり、位置固定もより確実である。【００１２】  更に、前記脱腸抑止部材４の略逆三角形の４ａ，４ｂが、腰部を締め付けるように前記本体１の後側に回り込んだ状態で、前記左右部材２，３の上辺部２Ａ，３Ａに一体的に逢着されているのが好ましい。
このような構成によって、腰周りが非伸縮性の脱腸抑止部材４によって固定される状態となるので、要部背後を基点として確実な腹部への圧迫力を発揮出来る利点があると共に要部の姿勢が整えられる利点もある。【００１３】  本発明において、伸縮性の生地としては、織り、編み何れの構造的機能、或いは、機能性繊維による伸縮生地を採用してもよく、従って、天然繊維でも合成繊維でも良いものであって、また、実施例で採用しているように、通気性の良いメッシュ構造とされるのが良い。
そして、非伸縮性の前記脱腸抑止部材４としては、比較的硬いフェルト状体、ゴム、織物でよく、更には、軟質の合成樹脂を用いたものでも良く、その形状は、下腹部に斜めに当てるのに都合のよい長円形のものが好ましい。但し、その生地自体の固有の微細の伸縮性があることは問題ではない。
尚、実施例では、当該脱腸抑止部材４の上側（表側）には、本体１と同じ伸縮性の表生地１０が、貼り付けられた二層構造となっている。【００１４】  又、前記脱腸抑止部材４の下辺部４Ｂと前記本体１の下部１Ａとを着脱自在に止め付ける係止手段５としては、実施例の如き鳩目ホックが好ましいが、マジックテープ等、適宜の手段を用いて良い。
【実施例】
【００１５】  以下、本発明にかかる脱腸抑止兼健康増進男性コルセットの好適実施例について、図面を参照して説明する。【００１６】  図１から図４に示すように、このブリーフ型に構成された脱腸抑止兼健康増進男性コルセットは、本体１を、伸縮性の生地を用いて、左右部材２，３を後部で上下の方向で逢着すると共に前部で、左右方向において一部非逢着状態で重複させて、その上辺部２Ａ、３Ａと下辺部２Ｂ、３Ｂにおいて互いに逢着してある。前記上辺部２Ａ、３Ａは、弾性のベルト状部９で逢着されている。また、上記本体１の生地は化繊を用いたメッシュ構造のものであり、通気性が配慮されている。【００１７】  そして、非伸縮性の生地を用いて略逆三角形状の脱腸抑止部材４を構成し、その上辺部４Ａを、前記本他１の前部において、前記左右部材２，３の上辺部２Ａ，３Ａと一体的に逢着してある。この生地は、化繊のフェルト状のもので、表面が僅かに起毛されているものである。
この略逆三角形状は、下腹部に合致させるための形状であり、従って、適宜の変形を採用してもよい。【００１８】  この実施例では、当該脱腸抑止部材４の上側（表側）には、本体１と同じ伸縮性の表生地１０が、左右二分割の形状として、その中央部分で上下の方向に細い帯状の逢着部８を設ける状態で（脱腸抑止部材４の内側に）、当該脱腸抑止部材４に一体的に貼り付けられた二層構造となっており、左右生地の逢着と同時に、中央部の強化を図っている。
尚、前記逢着部８でないところは、表記生地１０と脱腸抑止部材４とは逢着、接着されていず、両者間には通気性がある。【００１９】  更に、前記抑止部材４の下辺部４Ｂと前記本体１の下部１Ａとを着脱自在に止め付ける係止手段５としての、鳩目ホックを設けてあり、当該係止手段５を外した状態で、腹部への規制のないフリーの状態で楽に身体に装着（履く）することができるようにしてある。【００２０】  また、図３及び図４に示すように、ここでは、前記脱腸抑止部材４の内側に袋状の収容部７が設けられ、該収容部７に、外腹斜筋に対する抑え部材６を収容してある。
この抑え部材６は、ここでは、比較的厚みのある長円形のフェルト状体（下腹部の外腹斜筋に略合致する）を用いている。
尚、既述の如く、この構成に代えて、図示していないが、前記脱腸抑止部材４の内側に、外腹斜筋に対する抑え部材６を、としてのマジックテープを介して止め付けるように構成しても良いものである。【００２１】  更に、図２に示すように、前記脱腸抑止部材４の略逆三角形の４ａ，４ｂが、腰部を締め付けるように前記本体１の後側に回り込んだ状態で、前記左右部材２，３の上辺部２Ａ，３Ａに一体的に逢着されている。
【産業上の利用可能性】
【００２２】  本発明によれば、男性の脱腸抑止用のコルセットとして、脱腸未発症の一般老齢者は勿論、老若男女の患者に対しても適用でき、また、医療目的だけでなく、腰部の姿勢矯正、即ち、コルセットとしての機能も発揮できる。勿論、着用は、下着を着けても着けなくても使用が可能であり、適用範囲が広がる。
【図面の簡単な説明】
【００２３】
【図１】実施例の脱腸抑止兼健康増進男性コルセットの全体を示す正面図。
【図２】実施例の脱腸抑止兼健康増進男性コルセットの全体を示す背面図。
【図３】実施例の脱腸抑止兼健康増進男性コルセットの全体を示す一使用状態を示す正面図。
【図４】実施例の脱腸抑止兼健康増進男性コルセットの全体を示す一部切り欠き正面図。
【符号の説明】
【００２４】  １：本体
１Ａ：本体の下部
２：左部材
２Ａ：左部材の上辺部
２Ｂ：左部材の下辺部
３：右部材
３Ａ：右部材の上辺部
３Ｂ：右部材の下辺部
４：脱腸抑止部材
４Ａ：脱腸抑止部材の上辺部
４Ｂ：脱腸抑止部材の下辺部
５：係止手段
６：抑え部材
７：収容部
【図１】
2006136692.tif 000003
【図２】
2006136692.tif 000004
【図３】
2006136692.tif 000005
【図４】
2006136692.tif 000006